(57)【要約】【課題】被写体を撮像手段で撮像する構成を有しながらも、装置本体を大型化させず、シートの積載性を損なうことのない画像形成装置を提供する。【解決手段】画像形成装置１は、シートＰに画像を形成する画像形成部１０を備える装置本体１ａと、装置本体１ａに支持され、装置本体側に収納される収納位置と被写体が積載可能な積載位置とに移動可能な積載トレイ１１ａとを備えている。さらに、画像形成装置１は、装置本体１ａに支持され、積載位置の積載トレイ１１ａ上の被写体Ｓを撮像可能な読取ユニット２３１を備えている。【選択図】図２
2016139902.tif 000002
【特許請求の範囲】
【請求項１】
シートに画像を形成する画像形成手段を備える装置本体と、
前記装置本体に支持され、前記装置本体側に収納される収納位置と被写体が積載可能な積載位置とに移動可能な積載手段と、
前記装置本体に支持され、前記積載位置の前記積載手段上の被写体を撮像可能な撮像手段と、を備える、
ことを特徴とする画像形成装置。
【請求項２】
前記撮像手段は、前記装置本体側に収納される撮像収納位置と、前記積載手段上の被写体を撮像可能な撮像可能位置とに移動可能に支持される、
ことを特徴とする請求項１に記載の画像形成装置。
【請求項３】
前記撮像手段は、
被写体の情報を読み取る読取部と、
前記読取部を前記撮像収納位置と前記撮像可能位置とに移動させる移動手段と、を有する、
ことを特徴とする請求項２に記載の画像形成装置。
【請求項４】
前記撮像手段の位置を検知する検知手段を備える、
ことを特徴とする請求項３に記載の画像形成装置。
【請求項５】
前記撮像手段による撮像が可能な旨を表示する表示手段と、
前記検知手段による検知に基づき、前記撮像手段による撮像可能な旨を前記表示手段に表示させる制御手段と、を備える、
ことを特徴とする請求項４に記載の画像形成装置。
【請求項６】
前記表示手段は、前記撮像手段による撮像可能な旨を発光して表示する発光部であり、
前記撮像手段が前記撮像収納位置に移動した際に前記発光部が覆い隠され、前記撮像手段が前記撮像可能位置に移動した際に前記発光部が露出されて前記撮像可能な旨を表示する、
ことを特徴とする請求項５に記載の画像形成装置。
【請求項７】
前記制御手段は、前記表示手段に前記撮像可能な旨を表示させる際に前記撮像手段による撮像が可能となるように制御する、
ことを特徴とする請求項５又は６に記載の画像形成装置。
【請求項８】
前記積載手段に積載されたシートを給送する給送手段と、
前記検知手段による検知に基づき、前記撮像手段が撮像可能位置にいる場合は前記給送手段の作動を規制する制御手段と、を備える、
ことを特徴とする請求項４乃至７のいずれか１項に記載の画像形成装置。
【請求項９】
前記読取部は、読取動作を指示するための読取動作開始部を有し、
前記移動手段は、
前記読取部を支持する第１腕部と、前記第１腕部に回動可能に連結された状態で前記装置本体に回動可能に支持される第２腕部と、を有し、前記撮像手段が前記撮像可能位置に位置する際には前記第１腕部と前記第２腕部とが略直線状となるように構成される、
ことを特徴とする請求項３に記載の画像形成装置。
【請求項１０】
前記装置本体において前記撮像手段が支持される部位には、シートが排出される排出積載部が設けられ、
前記撮像可能位置では前記第１腕部もしくは前記第２腕部が、前記排出積載部に排出されるシートの整列を補助する積載補助部材を兼用する、
ことを特徴とする請求項９に記載の画像形成装置。
【請求項１１】
前記装置本体において前記撮像手段が支持される部位には、シートが排出される排出積載部が設けられ、
前記撮像収納位置では前記読取部が、前記排出積載部に排出されるシートの整列を補助する積載補助部材を兼用する、
ことを特徴とする請求項９又は１０に記載の画像形成装置。
【請求項１２】
前記撮像手段は、前記積載手段に積載された被写体を照明する照明部を有する、
ことを特徴とする請求項１乃至１１のいずれか１項に記載の画像形成装置。
【請求項１３】
前記積載手段は、前記画像形成手段に給送されるシートの積載と、前記撮像手段により撮像される被写体の積載とに兼用される積載トレイである、
ことを特徴とする請求項１乃至１２のいずれか１項に記載の画像形成装置。
【請求項１４】
前記積載手段は、前記撮像手段により撮像される被写体の積載に専用に用いられる積載トレイである、
ことを特徴とする請求項１乃至７のいずれか１項に記載の画像形成装置。
【発明の詳細な説明】
【技術分野】
【０００１】
本発明は、複写機、ファクシミリ装置、プリンタ及びこれらの複合機等の画像形成装置に関する。
【背景技術】
【０００２】
従来、原稿読取部を備えた画像形成装置において、特に画像形成装置本体（以下、装置本体という）の小型化を目的として、原稿を上方から読み取る原稿読取手段（撮像手段）を備えたものが提案されている（特許文献１参照）。
【０００３】
この画像形成装置は、画像形成ユニットにより画像が形成されたシートを装置本体の上面に排出する上面排出ユニットと、この上面排出ユニットにより排出されるシートを受ける装置本体に対して開閉自在な上面排出トレイとを備えている。さらに、この画像形成装置は、上面排出トレイを開放することで原稿や本などの被写体を載置する被写体載置面が露呈される被写体載置台と、この被写体載置台に載置した被写体を撮像する上記原稿読取手段としての二次元センサとを備える。そして、開放された状態の上面排出トレイが二次元センサの支持体を兼用するように構成されている。これらにより、平坦な原稿だけでなく、立体的な被写体の撮像が可能になる。なお、二次元センサとは、二次元配列されたイメージセンサを示す。
【先行技術文献】
【特許文献】
【０００４】
【特許文献１】特開２００６−３１７８６３号公報
【発明の概要】
【発明が解決しようとする課題】
【０００５】
しかしながら、特許文献１に記載の画像形成装置では、以下のような問題を生じるおそれがある。即ち、被写体を撮像する（読み取る）二次元センサが支持された上面排出トレイを開放することで被写体載置面が露呈される構成のため、読み取り可能な被写体のサイズに対応して上面排出トレイが大型化するおそれがある。装置本体の上面に、被写体載置面となる平面が必要になるため、読み取り可能な被写体のサイズに応じて装置本体が大きくなるおそれがある。
【０００６】
また、被写体の読み取り時には、その都度上面排出トレイを開放することが必要になる。そのため、装置本体からシートが排出される際にジャム（紙詰まり）が発生しなかったとしても、上面排出トレイにシートが積載された状態で開放した場合には積載シートが一方向に寄ってしまい、シートの積載性が損なわれてしまう。
【０００７】
そこで、本発明は、被写体を撮像手段で撮像する構成を有しながらも、装置本体を大型化させず、シートの積載性を損なうことのない画像形成装置を提供することを目的とする。
【課題を解決するための手段】
【０００８】
本発明は、画像形成装置において、シートに画像を形成する画像形成手段を備える装置本体と、前記装置本体に支持され、前記装置本体側に収納される収納位置と被写体が積載可能な積載位置とに移動可能な積載手段と、前記装置本体に支持され、前記積載位置の前記積載手段上の被写体を撮像可能な撮像手段とを備えることを特徴とする。
【発明の効果】
【０００９】
本発明によると、被写体を撮像手段で撮像する構成を有しながらも、装置本体を大型化させず、シートの積載性を損なうことのない画像形成装置を提供することが可能になる。
【図面の簡単な説明】
【００１０】
【図１】本発明の第１の実施形態に係る画像形成装置の概略構成を示す斜視図。
【図２】第１の本実施形態に係る画像形成装置の概略構成を積載トレイの開放状態で示す側面図。
【図３】第１の実施形態に係る読取ユニットによる撮像時の状態を示す斜視図。
【図４】第１の実施形態に係る積載トレイ、排出延長トレイ及び読取ユニットを閉塞した状態を示す外観斜視図。
【図５】第１の実施形態に係る画像形成装置の概略構成を積載トレイの閉塞状態で示す側面図。
【図６】第１の実施形態に係る画像形成装置の制御系を示すブロック図。
【図７】第１の実施形態に係る画像形成装置の読取動作を示すフローチャート。
【図８】本発明の第２の実施形態に係る画像形成装置の読取動作を示すフローチャート。
【図９】本発明の第３の実施形態に係る画像形成装置の概略構成を積載トレイの開放状態で示す側面図。
【図１０】本発明の第４の実施形態に係る画像形成装置の概略構成を示す斜視図。
【図１１】第４の実施形態に係る読取ユニットによる撮像時の状態を示す斜視図。
【図１２】第４の実施形態に係る画像形成装置の概略構成を積載トレイの開放状態で示す側面図。
【図１３】第４の実施形態に係る積載トレイ及び読取ユニットを閉塞した状態を示す側面図。
【図１４】第４の実施形態に係る読取ユニットを読取モード位置にある状態で示す拡大側面図。
【図１５】第４の実施形態に係る読取ユニットを撮像収納位置にある状態で示す拡大側面図。
【発明を実施するための形態】
【００１１】
＜第１の実施形態＞
以下、本発明の第１の実施形態に係る画像形成装置について、図面を参照しながら説明する。本実施形態に係る画像形成装置は、電子写真記録方式の複写機、プリンタ、複合機等から構成することが可能である。なお、図１は本実施形態に係る画像形成装置１の概略構成を示す斜視図、図２は図１の画像形成装置１の概略構成を示す断面図である。
【００１２】
［画像形成装置］
図１及び図２に示すように、画像形成装置１は装置本体１ａを備えている。この装置本体１ａの前面（図１中の右側）には、積載手段としての積載トレイ１１ａが開閉可能に支持されている。積載トレイ１１ａは、装置本体１ａにおける図１右側部に回動可能に支持され、装置本体側に収納される収納位置と、被写体Ｓ（シートＰ）が積載可能な積載位置とに回動可能（移動可能）に構成される。
【００１３】
積載トレイ１１ａにおける装置本体側には、積載トレイ１１ａに積載されたシートＰを後述の画像形成部１０に給送する給送手段としての給送ローラ１１ｂが配置されている。また、装置本体１ａの図１右側部における積載トレイ１１ａの上方には、後述する撮像手段としての読取ユニット２３１が回動可能に支持されている。
【００１４】
装置本体１ａの上部中央には、印刷後に排出されたシートＰが積載される排出積載部５１が設けられている。この排出積載部５１には、排出延長トレイ５２が設けられている。排出延長トレイ５２は、排出されるシートＰの長さが長い場合にその積載性を向上させるように、排出積載部５１における先端近傍から図１中の右方に延出される構成を備える。
【００１５】
また、装置本体１ａ上部の排出積載部５１に隣接する位置には、各種操作ボタン等を有する操作部６１が配置されている。この操作部６１は、画像形成装置１の電源の状態、ジョブの有無、エラー状態等を表示し、或いはネットワークの設定、ジョブの消去や各種の設定や操作等を行うことが可能に構成される。
【００１６】
図２に示すように、画像形成装置１の装置本体１ａには、内部の略中央部に、画像形成手段としての画像形成部１０が配置され、底部に、シート収納部としての給紙カセット２１１ａが装着及び引き出し可能に配置されている。給紙カセット２１１ａには、画像形成部１０に給送されるシートＰが収納される。給紙カセット２１１ａのシート給送方向の下流には、給送ローラ２１１ｂが配置されている。給送ローラ２１１ｂは、略半月状に構成され、給紙カセット２１１ａに収納されたシートＰを画像形成部１０に給送するようにその回転が制御される。
【００１７】
画像形成部１０は、像担持体としての感光ドラム２１、不図示の現像器、感光ドラム２１の表面を露光して感光ドラム上に静電潜像を形成するレーザスキャナ２０１、不図示の帯電ローラ、及び、シートＰにトナー像を転写する転写部２２とを有している。さらに、画像形成部１０は、転写されたトナー像を加熱及び加圧によりシートＰに定着させる定着部３１等を有している。転写部２２は、感光ドラム２１と転写ローラ２２ａとから構成され、感光ドラム２１と転写ローラ２２ａとの圧接によって転写ニップ部を形成している。定着部３１は、加熱源を有する定着ベルト３１ａと定着ベルト３１ａに圧接される加圧ローラ３１ｂとから構成されている。
【００１８】
シート搬送路３９における定着部３１の下流には、画像形成部１０で画像形成されて定着部３１で定着されたシートＰを搬送する搬送ローラ対４５が配置されている。さらに、搬送ローラ対４５の下流には、共通積載部としての排出積載部５１にシートＰを排出する排出ローラ対（排出手段）４１が配置されている。
【００１９】
排出積載部５１は、積載トレイ１１ａから給送ローラ１１ｂにより給送されて画像形成部１０で画像形成されたシートＰと、給紙カセット２１１ａから給送されて画像形成部１０で画像形成されたシートＰとを、共通に積載するように構成されている。この構成により、積載トレイ１１ａから送られて画像形成されたシートを積載する積載部と、給紙カセット２１１ａから送られて画像形成されたシートを積載する積載部とを個別に用意することが不要になるので、装置構成を簡略化することができる。
【００２０】
以上の構成を備える画像形成装置１では、画像形成時に、制御部４６（図６）の制御に応じて、積載トレイ１１ａから給送ローラ（給送手段）１１ｂにより給送されたシートＰが、レジストレーションローラ対４３を介して画像形成部１０に送り込まれる。また、給紙カセット２１１ａから給送ローラ２１１ｂにより給送されたシートＰが、搬送ローラ対４４及びレジストレーションローラ対４３を介して画像形成部１０に送り込まれる。
【００２１】
レジストレーションローラ対４３は、送られてきたシートＰを、ニップ部で一旦受け止めてその斜行を補正し、感光ドラム２１上のトナー画像に合わせた所定のタイミングで転写部２２に送り込む。そして、この転写部２２において、感光ドラム２１上に形成されたトナー画像がシートＰに転写される。
【００２２】
その後、転写部２２でトナー画像を転写されたシートＰは、定着部３１に搬送され、定着ベルト３１ａと加圧ローラ３１ｂ間の定着ニップ部を通過する際に加熱及び加圧されて、トナー像を定着される。さらに、シートＰは、搬送ローラ対４５を経て、排出ローラ対４１を介して排出積載部５１に排出される。
【００２３】
以上のように、本実施形態の画像形成装置１は、積載トレイ１１ａから給送する給送ローラ１１ｂと、給紙カセット２１１ａからシートＰを給送する給送ローラ２１１ｂという、二つの給送手段を備えている。
【００２４】
給紙カセット２１１ａには、シートサイズや種類として、通常最も良く利用されるシートＰが収納される。また、積載トレイ１１ａは、通常は画像形成装置１の前面（図２中の右側部）に折り畳まれた状態で収納されている。そして、積載トレイ１１ａは、給紙カセット２１１ａに収納されていないサイズや種類のシートＰに記録を行いたい場合に、図１及び図２に示すように引き出された状態でシートＰが積載される。
【００２５】
また、原稿や本などの被写体Ｓから情報を読み取りたい場合には、図１及び図２に示す位置に開放された積載トレイ１１ａに、被写体Ｓが積載される。そして、読取ユニット２３１が、装置本体１ａ前面における図２の上下方向中央部から右上方に傾くように延出された積載トレイ１１ａに対向した状態で、被写体Ｓの全域を読み取り可能になるように、積載トレイ１１ａを上方から臨む状態に起立される。
【００２６】
このように、本実施形態における積載トレイ１１ａは、画像形成部１０に給送されるシートＰの積載と、読取ユニット（撮像手段）２３１により撮像される被写体Ｓの積載とに兼用可能となるように構成される。このため、本実施形態によれば、被写体Ｓを読取ユニット（撮像手段）２３１で撮像する構成を有しながらも、装置本体１ａを大型化させることなく、シートＰの積載性を損なうことのない画像形成装置１が実現可能になる。
【００２７】
読取ユニット２３１は、装置本体１ａに支持され、積載位置の積載トレイ１１ａに対向して積載トレイ１１ａ上（積載手段上）の被写体Ｓを撮像可能に構成されている。読取ユニット２３１は、上記起立時において撮像時の光軸Ｏが積載トレイ１１ａ上の被写体Ｓに対して垂直となるように位置決めされている。起立状態での読取ユニット２３１の傾斜角度の調整により、光軸Ｏが被写体Ｓのほぼ中央に位置するようにされるため、被写体Ｓの読取範囲Ｈの全域（矢印で示す範囲）に亘ってピントが合うようにされる。
【００２８】
次に、図２〜図５を参照して、被写体Ｓの読み取りを行う撮像手段としての読取ユニット２３１の詳細について説明する。なお、図３は、被写体Ｓの読み取りを行う際の読取ユニット２３１を説明する斜視図であり、図４は、積載トレイ１１ａ、排出延長トレイ５２及び読取ユニット２３１を閉塞した状態を示す外観斜視図である。図５は、本実施形態の画像形成装置１の概略構成を積載トレイ１１ａの閉塞状態で示す側面図である。
【００２９】
図２〜図５に示すように、画像形成装置１の正面部分には、不図示の支持機構を介して、開閉カバー１１ｃが装置本体１ａに対し開閉可能となるように支持されている。また、閉塞状態の開閉カバー１１ｃの内側に位置可能に、且つ装置本体１ａに対し開閉可能となるように、不図示の支持機構を介して積載トレイ１１ａが支持されている。
【００３０】
積載トレイ１１ａの先端部には、トレイ本体部から外方に延出した状態となるように、トレイ本体部に対し開閉可能に支持された積載延長トレイ１１ｄが設けられている。積載延長トレイ１１ｄは、図５のように積載トレイ１１ａが開閉カバー１１ｃ内に収納される際には、トレイ本体部に対して折り畳まれた状態のままトレイ本体部と共に装置本体１ａ側に回動させられる。この状態において、開閉カバー１１ｃは、折り畳み状態の積載トレイ１１ａを装置本体１ａ側に収納して覆い隠す。
【００３１】
読取ユニット（撮像手段）２３１は、図３に示すように、装置本体１ａの正面上部の中央部分において両側から突出するように一対の支持凸部２３９が形成されている。また、読取ユニット２３１は、読取部２３１ｃと、読取部２３１ｃを支持する第１腕部２３１ａと、第１腕部２３１ａに連結軸２３７で連結され第１腕部２３１ａに対して相対回動可能な第２腕部２３１ｂとを有している。
【００３２】
下側の第２腕部２３１ｂはその下部に、軸方向（図３の左右方向）に突出する軸部２３８が設けられている。第２腕部２３１ｂは、軸部２３８の両端部が一対の支持凸部２３９にそれぞれ回動可能に支持され、装置本体１ａに対して回動可能に支持されている。移動手段としての第１及び第２腕部２３１ａ，２３１ｂは、積載トレイ１１ａに積載された被写体Ｓの全体を撮像可能となる位置に読取部２３１ｃを移動調整可能に構成される。なお、図３における符号２４０は、装置本体１ａに開閉カバー１１ｃを閉塞した状態（図４参照）から開閉カバー１１ｃを開放する際にユーザが指等を引っ掛けやすくするための凹部を示している。
【００３３】
図３は、読取ユニット２３１を装置本体１ａから上方に引き出して、読取モード位置（撮像可能位置）にセットした状態を示している。この場合、軸部２３８と連結軸２３７とは、軽ロック機構（不図示）により固定される。この軽ロック機構（不図示）は、ラチェットのように軸部２３８と連結軸２３７との回転を抑制するように構成されており、ある一定の回転モーメントが作用するまでは回転せずに読取モード位置に保持される。これにより、読取ユニット２３１は、撮像可能位置では図２及び図３の位置よりも排出積載部５１側に回動することのない起立状態に維持され、撮像収納位置では図４及び図５の折り畳まれた状態に維持される。
【００３４】
読取部２３１ｃは、図３の左右方向に延びる円筒状に構成され、上部に摘み操作部２３１ｄが突出形成されている。この読取部２３１ｃの内部には、二次元配列されたイメージセンサから構成されて被写体Ｓの情報を読み取る二次元センサ５０が、読取部２３１ｃ円筒の長手方向に沿った状態に固定されている。読取部２３１ｃの積載トレイ１１ａに対向可能な面には、その中央部にレンズ２３２が取り付けられ、このレンズ２３２の左右にはそれぞれ、照明部としてのＬＥＤライト（光源）２３３が取り付けられている。
【００３５】
レンズ２３２は、光軸Ｏ（図２参照）を成し、被写体Ｓの像を二次元センサ５０に結像させるように構成されている。二次元センサ５０は、結像された被写体Ｓの像を電子情報に変換する、いわゆる光電変換を行い、その信号を制御部４６（図６参照）に出力する。読取部２３１ｃにおけるレンズ２３２の両側に一体的に設けられたＬＥＤライト２３３は、制御部４６の制御により発光して、積載トレイ１１ａに積載された被写体Ｓを照明する。
【００３６】
以上の読取ユニット２３１は、装置本体側に収納される撮像収納位置（図４、図５参照）と、積載位置の積載トレイ１１ａに対向して積載トレイ上（積載手段上）の被写体Ｓを撮像可能な撮像可能位置（図１、図２参照）とに移動可能となるように支持される。装置本体１ａの正面上部における手前側には、装置本体側に収納される撮像収納位置に折り畳まれた読取ユニット２３１（図４参照）に覆い隠される位置に、表示手段（発光部）としての読取表示ランプ２３５と、読取動作開始ボタン２３６とが配置されている。
【００３７】
読取表示ランプ２３５は、読取ユニット２３１が積載位置（読取モード位置）の積載トレイ１１ａに積載された被写体Ｓを撮像可能な撮像可能位置に移動した際に露出され、読取ユニット２３１による撮像が可能であることを表示するように発光する。読取表示ランプ２３５は、制御部４６の制御により発光して撮像可能である旨を表示し、読取ユニット２３１は、読取表示ランプ２３５が表示されている間において撮像が可能となるように制御部４６により制御される。つまり、読取表示ランプ２３５は、読取ユニット２３１が撮像可能位置（図２）にあって読取動作可能である時に点灯し、読取動作ができない撮像収納位置（図５）にあるときには消灯し、ユーザに状態を知らせる役割を果たすように制御される。
【００３８】
読取ユニット２３１が読取モード位置にあるかどうかは、検知手段としての読取モード位置検知センサ４９（図６参照）で読取ユニット２３１の位置を検知することに基づき、ＣＰＵ，ＲＡＭ，ＲＯＭを有する制御部４６（図６参照）が判断する。読取モード位置検知センサ４９は、第２腕部２３１ｂの軸部２３８の回動に伴ってオン、オフするスイッチ（不図示）やフォト・インタラプタ（不図示）等から構成することが可能である。読取モード位置検知センサ４９がオンしていれば読取ユニット２３１は撮像可能位置になっていることであり、読取モード位置検知センサ４９がオフしていれば読取ユニット２３１は撮像収納位置になっていることである。
【００３９】
ここで、図４及び図５を参照して、積載トレイ１１ａ、排出延長トレイ５２及び読取ユニット２３１をそれぞれ閉じて装置本体１ａ側に収納した場合について説明する。
【００４０】
画像形成装置１は、読取動作を行わない通常時には、図４及び図５に示すように、積載トレイ１１ａ、排出延長トレイ５２及び読取ユニット２３１を装置本体１ａ側に閉塞した状態で、コンパクトなプリンタとして使用することが可能である。この状態にて、画像形成部１０へのシートＰの給送は、給紙カセット２１１ａからのみであり、給紙カセット２１１ａ内のシートＰと異なるサイズ、種類のシートを使用したい場合には、積載トレイ１１ａを装置本体１ａから開放した状態で使用することになる。
【００４１】
また、排出延長トレイ５２を図１及び図２のように開く場合は、シートＰの長さが所定の長さ以上で、排出積載部５１へのシート積載性を向上させたいときであり、通常時には、排出延長トレイ５２を図４及び図５のように閉じた状態で使用することができる。
【００４２】
また、通常のプリンタとしてだけではなく被写体Ｓの読み取りを行う場合は、図１及び図２に示すように、積載トレイ１１ａを積載位置に回動させると共に、読取ユニット２３１を撮像可能位置に起立させた状態で行う。なお、本実施形態では、積載トレイ１１ａを装置本体１ａに対して開閉可能に支持していたが、積載手段としての積載トレイ１１ａは、これに限らず、スライド可能に支持することも可能である。その場合にも、同様に機能する。
【００４３】
図１及び図２に示すように、積載トレイ１１ａを積載位置に回動させ、読取ユニット２３１を撮像可能位置に起立させた状態では、図３に示す読取表示ランプ２３５を目視できると共に、読取動作開始ボタン２３６を操作することができる。しかし、図４及び図５に示すように、読取ユニット２３１を装置本体１ａ側に閉じて撮像収納位置にすると、読取ユニット２３１が読取表示ランプ２３５及び読取動作開始ボタン２３６をその上方から覆って隠してしまう。このため、読取表示ランプ２３５の目視も読取動作開始ボタン２３６の操作もできない状態になる。
【００４４】
そのため、読取ユニット２３１が収納された図４及び図５の状態では、誤って読取動作を行うおそれがなく、読取ユニット２３１が読取モード位置にあって初めて読取動作が可能となる。従って、読取ユニット２３１の位置が読取モード位置からずれた状態で読取動作を行って読取範囲がずれたりピントが合わなかったりするおそれがなくなる。
【００４５】
［制御系］
次に、図６を参照して、本画像形成装置１における読取動作の制御系について説明する。なお、図６は、本画像形成装置１の読取動作の制御系を示すブロック図である。
【００４６】
装置本体１ａに設けられた制御手段としての制御部４６には、図６に示すように、原稿検知センサ４７、読取ユニット２３１、操作部６１、読取モード位置検知センサ４９、読取動作開始ボタン２３６からの各信号が入力される。また、制御部４６は、読取ユニット２３１、ＵＳＢメモリ４８、画像形成部１０、給送ローラ１１ｂ、給送ローラ２１１ｂ、読取表示ランプ２３５に各信号を出力する。読取動作開始ボタン２３６は、制御部４６の制御により、読取表示ランプ２３５が発光しているときだけ読取動作の開始を指示できるように機能する。
【００４７】
制御部４６は、積載トレイ１１ａに設けられた原稿検知センサ４７からの信号が伝達されると、読取モード位置検知センサ４９のオン、オフ状態に基づき、読取ユニット２３１による読取動作（撮像動作）が可能か否かを判断する。また、制御部４６は、読取モード位置検知センサ４９のオン、オフ状態に基づき、オン状態の場合には読取表示ランプ２３５に対して点灯の指令を出力し、オフ状態の場合には読取表示ランプ２３５に対して非点灯の指令を出力する。
【００４８】
制御部４６は、読取動作開始ボタン２３６からの信号が伝達されると、読取ユニット２３１に動作指令を出力し、操作部６１からの入力の状況（設定）に応じて、読取ユニット２３１からの情報をＵＳＢメモリ４８に入力する指令を出力する。或いは、制御部４６は、読取ユニット２３１からの情報を画像形成部１０に入力させる指令を出力すると共に、画像形成部１０に対して動作指令を出力する。
【００４９】
制御部４６は、給送ローラ１１ｂの作動、及び給送ローラ２１１ｂの作動をそれぞれ制御する。また制御部４６は、検知手段としての読取モード位置検知センサ４９による検知に基づき、読取ユニット２３１による撮像時（読取ユニット２３１が撮像可能位置にいる場合）には給送ローラ１１ｂの作動を規制する。このため、被写体Ｓの読み取りを行う場合には、給送ローラ１１ｂを作動させず、積載トレイ１１ａに積載された被写体Ｓを画像形成部１０に搬送させないように制御する。これにより、誤って被写体Ｓが画像形成部１０に給送されるような不都合が発生しないようにすることができる。
【００５０】
また、読取動作が終了した後は、積載トレイ１１ａに積載された被写体Ｓを取り除いて、積載トレイ１１ａ及び読取ユニット２３１をそれぞれ収納位置と撮像収納位置とに移動できるので、画像形成装置１の構成がコンパクト化される。
【００５１】
以上の本実施形態において、装置本体１ａに収納可能な読取ユニット２３１は、装置本体１ａから撮像可能位置に引き出されると、積載トレイ１１ａに積載された被写体Ｓを撮像可能な読取モード位置となる。そして、この状態において、読取表示ランプ２３５を発光させて読取可能であることを表示し、読取動作開始ボタン２３６を操作可能に露出させて読取動作の開始をユーザが支持できるようにする。読取表示ランプ２３５が点灯しているときに読取動作開始ボタン２３６を押し込むと、被写体Ｓの読取動作を開始することができる。
【００５２】
次に、本実施形態における読取動作について説明する。なお、図７は、本実施形態に係る画像形成装置１の読取動作を示すフローチャートである。
【００５３】
すなわち、読取動作を行う場合、装置本体１ａに収納された読取ユニット２３１を読取モード位置（撮像可能位置）に引き出す動作と、装置本体１ａに収納された積載トレイ１１ａを原稿セット位置（積載位置）に引き出す動作とを、ユーザが行う。これら動作の順序としては、どちらから先に行っても構わない。
【００５４】
まず、読取ユニット２３１を引き出す動作について説明する。ユーザによって読取ユニット２３１が読取モード位置に起立させられると、読取モード位置検知センサ４９が、読取ユニット２３１が読取モード位置（撮像可能位置）に引き出されていることを検知する（Ｓ１０１：ＯＮ）。すると、制御部４６はこの検知に基づき、読取ユニット２３１が読取モード位置に起立させられていると判断し、読取表示ランプ２３５に点灯の指令を出力する（Ｓ１０２）。
【００５５】
ここで、積載トレイ１１ａを原稿セット位置（積載位置）に引き出す動作について説明する。すなわち、ユーザによって積載トレイ１１ａが引き出された後、ユーザによって被写体Ｓが積載トレイ１１ａ上にセットされる。積載トレイ１１ａに被写体Ｓがセットされると、積載トレイ１１ａの、給送ローラ１１ｂの近傍に配置された原稿検知センサ４７がＯＮして、被写体Ｓを検知する（Ｓ１０３）。
【００５６】
すると、この検知に基づき、制御部４６が読取表示ランプ２３５を点灯させる。この状態で読取動作開始ボタン２３６が押下されると（Ｓ１０４）、読取ユニット２３１に設けられたＬＥＤライト２３３が、光電変換が終了するまでの間ＯＮして点灯し、被写体Ｓを照明する（Ｓ１０５）。
【００５７】
そして、ＬＥＤライト２３３が点灯している間に、被写体Ｓの情報がレンズ２３２を介して二次元センサ５０に結像され、二次元センサ５０では光電変換が行われ、被写体Ｓの情報が電気信号に変換される（Ｓ１０６）。光電変換後、ＬＥＤライト２３３は、制御部４６からの指令により消灯させられる。
【００５８】
このとき、読取ユニット２３１の位置が適正ではなく、読取範囲Ｈ（図２）が被写体Ｓからずれていたり、被写体Ｓにピントが合っていなかったりする場合には、制御部４６の制御により読取表示ランプ２３５は点灯されない。この状態で、たとえ読取動作開始ボタン２３６が押されたとしても、読取動作に移行することはないため、読み取りの失敗を確実に防止することができる。
【００５９】
また、読取ユニット２３１が読取モード位置に引き出されていることが読取モード位置検知センサ４９で検知されている場合、制御部４６は、読取動作を行う準備状態であると判断し、給送ローラ１１ｂを動作させないように制御する。そのため、間違って被写体Ｓが画像形成部１０に搬送されて、被写体Ｓを汚したり、損傷させたりするおそれはない。
【００６０】
そして、読取動作が正しく行われると、二次元センサ５０で電気信号に変換された被写体Ｓの情報は、操作部６１における設定状況によって、次のように処理される。すなわち、制御部４６は、ステップＳ１０７における操作部６１の設定がコピーモードに設定されていると判断した場合には、被写体Ｓの情報を画像形成部１０に送り、プリント動作を行う（Ｓ１０９）。
【００６１】
一方、ステップＳ１０７での操作部６１の設定が、被写体Ｓの情報を読み取るだけのスキャナモードに設定されていると判断した場合、制御部４６は、被写体Ｓの情報をインターフェース（不図示）に接続されたＵＳＢメモリ４８に記録させる（Ｓ１０８）。ＵＳＢメモリ４８に書き込まれるファイル形式は、ＪＰＧ、Ｔｉｆｆ、ＰＤＦなどの汎用のファイル形式で、あらかじめ操作部６１でスキャナモードに設定する際に設定されている。
【００６２】
なお、スキャナモードにおいて被写体Ｓの情報がＵＳＢメモリ４８に書き込まれる場合について説明したが、画像形成装置１がネットワークに接続されているケースでは、ネットワークに接続されている別の端末に被写体Ｓの情報を転送することも可能である。
【００６３】
以上説明したように本実施形態では、積載トレイ１１ａが、装置本体側に閉塞される収納位置と被写体Ｓが積載可能な原稿セット位置（積載位置）とに移動可能で、且つ被写体Ｓが積載可能に構成されている。さらに、読取ユニット２３１が、原稿セット位置の積載トレイ１１ａに対向して積載トレイ上の被写体Ｓを撮像可能に構成される。これにより、被写体Ｓを読取ユニット２３１で撮像する構成を有しながらも、装置本体１ａを大型化させず、シートＰの積載性を損なうことのない画像形成装置１を提供することができる。
【００６４】
本実施形態では、給送ローラ２１１ｂで給送される前のシートＰを収容する給紙カセット２１１ａを装置本体１ａ内の下部に有し、排出ローラ対４１により排出されるシートＰを積載する排出積載部５１を装置本体１ａの上部に有している。これにより、給紙カセット２１１ａと排出積載部５１とが装置本体１ａの設置面積から飛び出すことがなくなるので、装置本体１ａを大型化することなく、原稿読取とシートＰへの画像形成との両方の機能を実現させることが可能になる。そして、原稿読取時に排出積載部５１を移動させる必要がないため、シート積載性に影響を与えることがない。
【００６５】
＜第２の実施形態＞
次に、本発明の第２の実施形態について説明する。即ち、前述した第１の実施形態は、給紙カセット２１１ａ及び給送ローラ２１１ｂを装置本体１ａに備える前提で説明したが、給紙カセット２１１ａ及び給送ローラ２１１ｂが構成に無い場合であっても、スキャナモードの動作は可能である。そして、コピーモードの場合には、読取動作の終了後、読取ユニット２３１を装置本体１ａに収納し、積載トレイ１１ａにシートＰを積載してプリント動作を行えば良い。
【００６６】
本第２の実施形態では、このような構成の画像形成装置１について図８を参照して説明する。図８は、給紙カセット２１１ａ及び給送ローラ２１１ｂが構成に無い場合の読取動作について説明するフローチャートである。なお、図８において、ステップＳ１０７までは図７と同様なので、図示を省略している。
【００６７】
すなわち、ＳＴＡＲＴから二次元センサ５０で光電変換を行った後、操作部６１での設定がスキャナモードの場合は、プリント動作に入らないので、図７のフローチャートと同様である。
【００６８】
一方、操作部６１での設定がコピーモードになっている場合には、今度は積載トレイ１１ａからシートＰを給送ローラ１１ｂによって画像形成部１０に搬送しなければならないので、図７とは動作が異なる。
【００６９】
すなわち、コピーモードの動作を行う場合は、読取モード位置に引き出されていた読取ユニット２３１を装置本体１ａに収納する動作と、積載トレイ１１ａに積載された被写体Ｓを取り除いてシートＰを積載トレイ１１ａにセットする動作とを、ユーザが行う。順序としては、どちらの動作を先に行っても構わない。
【００７０】
まず、制御部４６は、シートＰを積載トレイ１１ａにセットすることを促す旨を、操作部６１に表示させる（Ｓ２０１）。これは、先述の読取動作が終了した時点では、積載トレイ１１ａに被写体Ｓがセットされているので、被写体Ｓを積載トレイ１１ａから取り除く必要があるためである。
【００７１】
制御部４６は、被写体Ｓが取り除かれたことを原稿検知センサ４７の検知に基づいて検知した場合（Ｓ２０２のＯＦＦ）、次に画像を形成するためのシートＰを積載トレイ１１ａにセットすることを促す旨を、操作部６１に表示させる。そして、制御部４６は、給送ローラ１１ｂ近傍に設けられた原稿検知センサ４７が積載トレイ上のシートＰを検知した場合に（Ｓ２０４のＯＮ）、ステップＳ２０５に進む。
【００７２】
ステップＳ２０５では、制御部４６は、読取ユニット２３１を折り畳んで装置本体１ａに収納するように促す内容を操作部６１に表示させる。図４及び図５に示すように、装置本体１ａに読取ユニット２３１が収納されて、読取ユニット２３１が読取モード位置にないことが読取モード位置検知センサ４９で検知されると（Ｓ２０６のＯＦＦ）、制御部４６は、プリント動作に移行させる。
【００７３】
つまり、制御部４６は、給送ローラ１１ｂを回転させてシートＰを画像形成部１０に向けて給送させ、画像形成部１０でトナー像を転写し定着させたシートＰを、排出ローラ対４１により排出積載部５１に排出させて、プリント動作を完了させる。
【００７４】
以上の本実施形態によれば、前述の第１の実施形態とほぼ同様の効果が得られると共に、積載トレイ１１ａを、被写体Ｓをセットして撮像する場合とシートＰをセットして画像形成（プリント）する場合とで使い分けることで、以下の効果も得ることができる。つまり、場合に応じた使い分けにより、給紙カセット２１１ａ及び給送ローラ２１１ｂを備えていない場合であっても、プリント動作を行うことができる。
【００７５】
＜第３の実施形態＞
次に、本発明の第３の実施形態について説明する。即ち、前述の第１及び第２の実施形態では、シートの積載と被写体の積載とに兼用される積載トレイ１１ａを備えた構成例について説明したが、本実施形態では、被写体の積載に専用に用いられる積載トレイ１１Ｓを備えた構成例について図９により説明する。図９は、開閉される原稿専用の積載トレイ１１Ｓを設けた構成を示す断面図である。なお、本実施形態では、先の第１の実施形態と同一の部材には同一符号を付すと共に、構成、機能が同じものについてはその説明を省略する。
【００７６】
図９に示すように、積載手段としての積載トレイ１１Ｓは、読取ユニット（撮像手段）２３１により撮像される被写体Ｓの積載に専用に用いられるものであり、装置本体１ａの前面に開閉可能に支持されている。この積載トレイ１１Ｓは、前述した積載トレイ１１ａと同様に、装置本体１ａに支持され、装置本体側に収納される収納位置と被写体Ｓが積載可能な積載位置とに移動可能に構成されている。しかし、積載トレイ１１Ｓからは、画像形成部１０にシートを搬送することはできず、シートＰは、装置本体１ａ内に設けられた給紙カセット２１１ａのみから給送ローラ２１１ｂにより画像形成部１０に搬送されることになる。
【００７７】
本実施形態によると、装置本体１ａの前面に収納可能な積載トレイ１１Ｓを設け、被写体Ｓの情報を上方から二次元センサ５０で読み取ることにより、装置本体１ａを大きくすることなく、原稿読取を行うことができる。また、本実施形態では、画像形成部１０にシートＰを搬送する手段は一つになるが、積載トレイ１１Ｓに積載された被写体Ｓが、誤って画像形成部１０に搬送されて被写体Ｓを汚したり傷めたりするおそれが無くなるという利点がある。
【００７８】
また、積載トレイ１１Ｓは読み取り専用のため、積載トレイ１１Ｓと読取ユニット２３１とを連動させて、積載トレイ１１Ｓを開くときに読取ユニット２３１が連動して読取位置に移動するように構成することも可能である。或いは、積載トレイ１１Ｓを閉じるときに読取ユニット２３１がこれに連動して装置本体１ａに収納されるように構成することも可能である。
【００７９】
また、本実施形態によれば、第１の実施形態と同様に、給紙カセット２１１ａと排出積載部５１とが装置本体１ａの設置面積から飛び出すことがなく、装置本体１ａが大型化することがない。さらに、原稿読取とシートＰへの画像形成との両方の機能を実現させることが可能になり、原稿読取時に排出積載部５１を移動させる必要がないので、シート積載性に影響を与えることがない。また、読取ユニット２３１を装置本体１ａに収納可能に配置したことにより、読取ユニット２３１を使用しない時は、読取ユニット２３１が装置本体１ａから飛び出さないため、装置本体１ａを大きくすることがない。
【００８０】
また、第１の実施形態と同様、読取ユニット２３１を読取モード位置（撮像可能位置）にしたときに読取表示ランプ２３５が点灯して読取可能であることが表示されるので、読取を行おうとしているユーザに安心感を与えることができる。さらに、読取ユニット２３１を読取モード位置にしたときに読取動作開始ボタン２３６が操作可能な位置に現れるので、読取を行おうとしているユーザが操作を迷わなくて済むようになる。
【００８１】
また、読取ユニット２３１を収納した時には、読取動作開始ボタン２３６が隠れるため、ユーザが読取動作開始ボタン２３６を誤操作することがなくなる。さらには、読取ユニット２３１が読取モード位置にあって、読取表示ランプ２３５が点灯しているときだけ読取動作開始ボタン２３６が機能するので、ユーザが被写体Ｓの読み取りを失敗することがなくなる。
【００８２】
＜第４の実施形態＞
次に、本発明の第４の実施形態について、図１０〜図１５を参照して説明する。図１０は、本実施形態に係る画像形成装置１の概略構成を示す斜視図、図１１は、本実施形態に係る読取ユニット２４１による撮像時の状態を示す斜視図である。図１２は、画像形成装置１の概略構成を積載トレイ１１ａの開放状態で示す側面図、図１３は、積載トレイ１１ａ及び読取ユニット２４１を閉塞した状態を示す外観斜視図である。また、図１４は、読取ユニット２４１を読取モード位置にある状態で示す拡大側面図、図１５は、読取ユニット２４１を撮像収納位置にある状態で示す拡大側面図である。なお、本実施形態では、先の第１の実施形態と同一の部材には同一符号を付すと共に、構成、機能が同じものについてはその説明を省略する。
【００８３】
まず、図１０を参照して、本実施形態に係る画像形成装置１について説明する。本実施形態に係る画像形成装置１は、第１の実施形態において図１を用いて説明した画像形成装置１と略同様の構成を備えるが、図１の読取ユニット２３１が図１０に示す読取ユニット２４１のように変更されている点で異なる。
【００８４】
すなわち、図１０に示す画像形成装置１は、装置本体１ａにおける正面の積載トレイ１１ａ（図１１参照）の上方に、撮像手段としての読取ユニット２４１が回動可能に支持されている。図１０における読取ユニット２４１は、撮像収納位置にされた状態を示している。撮像収納位置において画像形成装置１の正面を向いた読取部２４１ｃは、図１０の左右方向に延びる略円筒状に構成されている。この読取部２４１ｃには、排出積載部５１側に略矩形状に延設された読取操作部２４１ｅが一体に設けられており、この読取操作部２４１ｅには、読取表示ランプ（表示手段，発光部）２４５及び読取動作開始ボタン（読取動作開始部）２４６が配置されている。
【００８５】
読取ユニット２４１は、図１１及び図１２に示すように、読取部２４１ｃと、読取部２４１ｃを支持する第１腕部２４１ａと、第１腕部２４１ａに連結軸２４７で連結され第１腕部２４１ａに対して相対回動可能な第２腕部２４１ｂとを有している。第１腕部２４１ａの上部には、読取操作部２４１ｅが一体に設けられた読取部２４１ｃが固定接続されている。また、下側の第２腕部２４１ｂはその下部に、軸方向（図１１の左右方向）に突出する軸部２４８を有している。第２腕部２４１ｂは、軸部２４８の両端部が一対の支持凸部２４９にそれぞれ回動可能に支持され、装置本体１ａに対して回動可能に支持されている。移動手段としての第１及び第２腕部２４１ａ，２４１ｂは、積載トレイ１１ａに積載された被写体Ｓの全体を撮像可能となる位置に読取部２４１ｃを移動調整可能に構成されている。
【００８６】
読取ユニット２４１は、第１腕部２４１ａと第２腕部２４１ｂ間の連結軸２４７の第１部位と、第２腕部２４１ｂと支持凸部２４９間の軸部２４８の第２部位とによって、回動可能に支持されている。即ち、第２腕部２４１ｂ下部の軸部２４８が装置本体１ａの上面に接続され、第２腕部２４１ｂが軸部２４８を中心として回動可能となるように第２腕部２４１ｂに支持されている。
【００８７】
読取部２４１ｃの内部には、二次元配列されたイメージセンサから構成されて被写体Ｓの情報を読み取る二次元センサ５０が、読取部２４１ｃの長手方向に沿った状態に固定されている。読取部２４１ｃの積載トレイ１１ａに対向可能な面には、その中央部にレンズ２４２が取り付けられ、このレンズ２４２の両側にはそれぞれ、照明部としてのＬＥＤライト２４３が取り付けられている。
【００８８】
レンズ２３２は、光軸Ｏ（図１２参照）を成し、被写体Ｓの像を二次元センサ５０に結像させるように構成されている。二次元センサ５０は、結像された被写体Ｓの像を電子情報に変換する、いわゆる光電変換を行い、その信号を制御部４６（図６参照）に出力する。読取部２４１ｃにおけるレンズ２４２の両側に一体的に設けられたＬＥＤライト２４３は、制御部４６の制御により発光して、積載トレイ１１ａに積載された被写体Ｓを照明する。なお、本実施形態の読取ユニット２４１における二次元センサ５０、ＬＥＤライト２４３、読取表示ランプ２４５及び読取動作開始ボタン２４６は、図６で説明した第１の実施形態の制御系と同様の制御系によって同様に制御される。
【００８９】
図１１、図１２及び図１４は、読取ユニット２４１を装置本体１ａから上方に引き出して、読取モード位置（撮像可能位置）にセットした状態を示している。この状態において、軸部２４８と連結軸２４７とは、軽ロック機構（不図示）により固定される。この軽ロック機構（不図示）は、ラチェットのように軸部２４８と連結軸２４７との回転を抑制するように構成されており、ある一定の回転モーメントが作用するまでは回転せずに読取モード位置に保持される。これにより、読取ユニット２４１は、撮像可能位置では図１２の位置よりも排出積載部５１側に回動することのない起立状態に維持され、撮像収納位置では図１３の折り畳まれた状態に維持される。
【００９０】
以上の構成において読取動作を行う場合は、図１１、図１２及び図１４のように、読取部２４１ｃと一体の読取操作部２４１ｅを装置本体１ａから上方に引き出して読取モード位置に位置させる。そして、この読取ユニット２４１に対し、読取動作開始ボタン２４６を押圧方向（矢印Ｇの方向）に押込み操作することになる。ここで、読取動作開始ボタン２４６の押圧方向は、連結軸２４７と軸部２４８を結んだ直線と重なる一直線状（略直線状）となるように構成されるので、読取動作開始ボタン２４６を押込んでも、連結軸２４７と軸部２４８とが容易に回動することはない。従って、読取ユニット２４１がぐらつきにくくなり、読取ユニット２４１が容易に読取モード位置からずれてしまうようなことがなく、ピントが合わなかったりして読取画像の低下などを招くような不都合を回避することができる。
【００９１】
また、上記読取モード位置では、制御部４６の制御により、ＬＥＤライト２４３が点灯して読取可能であること表示するので、読取を行おうとしているユーザを安心させることができる。さらに、読取モード位置では、読取操作部２４１ｅの読取動作開始ボタン２４６が現れるので、読取を行おうとしているユーザは、ユーザにより近くなるために操作を迷わずにすむ。
【００９２】
また、排出積載部５１に積載されるシートＰの長さが所定の長さ以上の場合、排出積載部５１に排出されたシートＰが、次に排出されるシートＰに押されて、排出積載部５１から下流側に押し出されることがある。しかし、本実施形態では、装置本体１ａにおいて読取ユニット２４１が支持される部位に排出積載部５１が設けられ、図１２の読取モード位置においては第１腕部２４１ａもしくは第２腕部２４１ｂがストッパとなる。また、図１３の撮像収納位置においては読取操作部２４１ｅの背面部２４１ｆがストッパとなる。つまり、読取モード位置では第１腕部２４１ａもしくは第２腕部２４１ｂが、排出積載部５１に排出されるシートＰの整列を補助する積載補助部材を兼ねる。また、撮像収納位置では読取操作部２４１ｅの背面部２４１ｆが、排出積載部５１に排出されるシートＰの整列を補助する積載補助部材を兼ねる。これにより、シートＰの排出積載部５１への積載性を向上することができる。
【００９３】
このように、第２腕部２４１ｂもしくは第１腕部２４１ａ、或いは読取操作部２４１ｅの背面部２４１ｆが、排出積載部５１に排出されたシートＰの積載を整列させる積載補助トレイの役割を果たすことができる。従って、読取動作を行う場合であっても行わない場合であっても、シートＰが排出積載部５１から押し出されてシートＰの積載性を損なうことを防止することができる。
【００９４】
また、図１３及び図１５に示す撮像収納位置では、第１腕部２４１ａが連結軸２４７を中心に回動させられて第２腕部２４１ｂに重ねられた状態で、軸部２４８を中心に回動して、連結軸２４７が凹部２５０に収容される。この状態でも、軸部２４８と第２回転軸２５２は、軽ロック機構（不図示）により保持され、それぞれ、ある一定の回転モーメントをかけるまでは回動しないようになっている。このように読取ユニット２４１を撮像収納位置にした際には、読取動作開始ボタン２４６が下方に移動して操作し難い位置になるので、ユーザが読取動作開始ボタン２４６のユーザによる誤操作を回避することができる。
【００９５】
さらに、制御部４６（図６参照）は、読取ユニット２４１が読取モード位置にあって読取可能な時だけＬＥＤライト２４３を発光させて読取可能である旨をユーザに知らせることができるので、ユーザが安心して読取操作を行うことができる。そして、制御部４６が、ＬＥＤライト２４３が点灯しているときだけ読取操作を実行可能とし、ＬＥＤライト２４３が消灯しているときは読取動作開始ボタン２４６を押しても読取操作を実行不能とする。これにより、読取ユニット２４１の位置が正しくないために、読取範囲Ｈ（図１２）がずれたり、ピントが合わなかったりする不都合の発生を回避することができる。
【００９６】
また、読取ユニット２４１が引き上げられて読取モード位置に位置されると、読取操作部２４１ｅがユーザに近づく状態になるので、読取表示ランプ２３５を目視しやすくなると共に、読取動作開始ボタン２４６の押し込み操作を行いやすくなる。
【００９７】
以上の本実施形態においても、給送ローラ２１１ｂで給送される前のシートＰを収容する給紙カセット２１１ａを装置本体１ａ内の下部に有し、排出ローラ対４１により排出されるシートＰを積載する排出積載部５１を装置本体１ａの上部に有している。これにより、給紙カセット２１１ａと排出積載部５１とが装置本体１ａの設置面積から飛び出すことがなくなるので、装置本体１ａを大型化することなく、原稿読取とシートＰへの画像形成との両方の機能を実現させることが可能になる。そして、原稿読取時に排出積載部５１を移動させる必要がないため、シート積載性に影響を与えることがない。
【００９８】
以上説明した第１〜第４の実施形態は、電子写真記録方式の画像形成装置１を用いて説明したが、本発明はこれに限定されない。例えば、ノズルからインク液を吐出させることでシートに画像を形成するインクジェット記録方式の画像形成装置にも用いることが可能である。その場合にも前述と同様の効果を得ることが可能である。
【符号の説明】
【００９９】
１…画像形成装置／１ａ…装置本体／１０…画像形成部（画像形成手段）／１１ａ…積載トレイ（積載手段）／１１ｂ…給送ローラ（給送手段）／１１Ｓ…積載トレイ（積載手段）／４６…制御部（制御手段）／４９…読取モード位置検知センサ（検知手段）／２３１…読取ユニット（撮像手段）／２３１ａ，２３１ｂ…移動手段（第１腕部，第２腕部）／２３１ｃ…読取部／２３３…ＬＥＤライト（照明部）／２３５…読取表示ランプ（表示手段，発光部）／２４１…読取ユニット（撮像手段）／２４１ａ，２４１ｂ…移動手段（第１腕部，第２腕部）／２４１ｃ…読取部／２４３…ＬＥＤライト（照明部）／２４５…読取表示ランプ（表示手段，発光部）／２４６…読取動作開始部（読取動作開始ボタン）／Ｐ…シート／Ｓ…被写体
【図１】
2016139902.tif 000003
【図２】
2016139902.tif 000004
【図３】
2016139902.tif 000005
【図４】
2016139902.tif 000006
【図５】
2016139902.tif 000007
【図６】
2016139902.tif 000008
【図７】
2016139902.tif 000009
【図８】
2016139902.tif 000010
【図９】
2016139902.tif 000011
【図１０】
2016139902.tif 000012
【図１１】
2016139902.tif 000013
【図１２】
2016139902.tif 000014
【図１３】
2016139902.tif 000015
【図１４】
2016139902.tif 000016
【図１５】
2016139902.tif 000017